(57)【要約】【課題】従来の電気光学装置では、適視範囲を効率的に拡大することが困難である。【解決手段】電気光学装置は、複数の画素と、遮光膜１０３と、を有している。複数の画素は、第１の画素７1及び第２の画素７2を含んでおり、複数組の画素群５５に区分されている。遮光膜１０３には、画素群５５に対応して開口部１０５が設けられている。電気光学装置では、画素の法線方向において、画像を観察するときの画素から観察位置ＶＰまでの離間距離として観察距離Ｌ３が規定されている。この電気光学装置では、画素から遮光膜１０３までの離間距離であるバリア離間距離Ｌ２が、観察距離Ｌ３とは異なるＬ１の離間距離に対応して設定されている。【選択図】図１６
2010175890.tif 000002
【特許請求の範囲】
【請求項１】
画像を形成する光を射出する複数の画素と、
前記画素から射出された前記光が及ぶ範囲を前記画素ごとに制限する光学素子と、を含み、
前記複数の画素は、複数組の画素群に区分されており、
前記画素群は、複数の前記画素を包含しており、
前記光学素子は、前記画素群に対応して設けられており、
前記画素の法線方向において、前記画素から前記画像を観察するときの観察位置までの離間距離として観察距離が規定されており、
前記画素から前記光学素子までの前記離間距離である光学素子離間距離は、前記観察距離とは異なる前記離間距離に対応して設定されている、
ことを特徴とする電気光学装置。
【請求項２】
前記光学素子離間距離は、前記観察距離よりも短い前記離間距離に対応している、
ことを特徴とする請求項１に記載の電気光学装置。
【請求項３】
前記光学素子は、前記複数の画素の前記光の射出側に設けられた遮光膜を有しており、
前記遮光膜には、前記画素群ごとに開口部が設けられている、
ことを特徴とする請求項１又は２に記載の電気光学装置。
【請求項４】
前記画像は、相互に異なる視点から捉えられた複数の画像を含んでおり、
前記複数の画像は、前記複数の画像間で視差を付与する視差画像を構成している、
ことを特徴とする請求項１乃至３のいずれか一項に記載の電気光学装置。
【請求項５】
請求項１乃至４のいずれか一項に記載の電気光学装置を表示部として有する、
ことを特徴とする電子機器。
【発明の詳細な説明】
【技術分野】
【０００１】
本発明は、電気光学装置及び電子機器等に関する。
【背景技術】
【０００２】
従来、電気光学装置の１つとして、複数の方向から見たときに、それぞれの視方向ごとに異なる画像を表示（以下、指向性表示と呼ぶ）することができる表示装置が知られている。このような表示装置としては、開口部と遮光部とを有するバリアを介して複数の視点のそれぞれに、相互に異なる画像を表示することができるものがある（例えば、特許文献１参照）。
【０００３】
【特許文献１】特開２００３−２９５１１３号公報
【発明の開示】
【発明が解決しようとする課題】
【０００４】
ここで、表示パネルとバリアとを有する表示装置で、２種類の画像を異なる範囲に指向性表示を行う仕組みについて、断面図を用いて説明する。表示パネル８００は、図２８に示すように、第１の画像を表示する第１の画素８０１と、第２の画像を表示する第２の画素８０３とを有している。隣り合う第１の画素８０１と第２の画素８０３とは、対８０４を構成している。バリア８０５には、第１の画素８０１と第２の画素８０３との対８０４ごとに開口部８０７が設けられている。隣り合う開口部８０７同士の間には、遮光部８０９が位置している。
【０００５】
第１の画素８０１からの光は、開口部８０７を介して第１の範囲８１１に及ぶ。第２の画素８０３からの光は、開口部８０７を介して第２の範囲８１３に及ぶ。つまり、第１の範囲８１１内にある視点からは第１の画像が視認され、第２の範囲８１３内にある視点からは第２の画像が視認され得る。なお、第１の範囲８１１及び第２の範囲８１３は、互いに重なる範囲８１５を有している。範囲８１５内にある視点からは、第１の画像と第２の画像とが重畳した画像が視認される。このため、範囲８１５は、重畳範囲８１５と呼ばれる。
【０００６】
第１の範囲８１１及び第２の範囲８１３の外側には、第３の範囲８１７及び第４の範囲８１９が存在する。
ここで、続けて並ぶ３つの対８０４のうちで中央に位置する対８０４を対８０４ａとし、対８０４ａに隣り合う対８０４をそれぞれ対８０４ｂ及び対８０４ｃとする。また、対８０４ａに対応する開口部８０７を開口部８０７ａとし、対８０４ｂに対応する開口部８０７を開口部８０７ｂとし、対８０４ｃに対応する開口部８０７を開口部８０７ｃとする。
このとき、第３の範囲８１７は、対８０４ｂの第２の画素８０３からの光が、開口部８０７ａを介して及ぶ範囲である。また、第４の範囲８１９は、対８０４ｃの第１の画素８０１からの光が、開口部８０７ａを介して及ぶ範囲である。
【０００７】
つまり、第３の範囲８１７内にある視点からは第２の画像が視認され、第４の範囲８１９内にある視点からは第１の画像が視認され得る。第３の範囲８１７及び第１の範囲８１１は、第１の画像と第２の画像とが重畳する重畳範囲８１５を有している。また、第４の範囲８１９及び第２の範囲８１３も、第１の画像と第２の画像とが重畳する重畳範囲８１５を有している。
そして、第１の範囲８１１及び第４の範囲８１９のそれぞれから重畳範囲８１５を除いた範囲８２１内にある視点からは、第１の画像だけが視認され得る。第２の範囲８１３及び第３の範囲８１７のそれぞれから重畳範囲８１５を除いた範囲８２３内にある視点からは、第２の画像だけが視認され得る。
【０００８】
このように、バリア８０５を用いた表示装置では、第１の画素８０１及び第２の画素８０３の並び方向に沿って、範囲８２１と範囲８２３とが、重畳範囲８１５を挟みながら交互に出現する。範囲８２１及び範囲８２３は、それぞれ、適視範囲８２１及び適視範囲８２３と呼ばれる。
ところで、バリア８０５を用いた表示装置では、開口部８０７の幅を狭くすること、すなわち遮光部８０９の幅を広くすることによって、適視範囲８２１及び適視範囲８２３を拡大することができる。しかしながら、開口部８０７の幅を狭くすると、画像が暗くなりやすい。
【０００９】
指向性表示を行うことができる表示装置において、画像の明るさを維持しながら適視範囲を拡大することができれば、効率的である。しかしながら、上述したように、従来の表示装置では、適視範囲の拡大とともに画像が暗くなりやすい。
つまり、従来の電気光学装置では、適視範囲を効率的に拡大することが困難であるという課題がある。
【課題を解決するための手段】
【００１０】
本発明は、上述の課題の少なくとも一部を解決するためになされたものであり、以下の形態又は適用例として実現され得る。
【００１１】
［適用例１］画像を形成する光を射出する複数の画素と、前記画素から射出された前記光が及ぶ範囲を前記画素ごとに制限する光学素子と、を含み、前記複数の画素は、複数組の画素群に区分されており、前記画素群は、複数の前記画素を包含しており、前記光学素子は、前記画素群に対応して設けられており、前記画素の法線方向において、前記画素から前記画像を観察するときの観察位置までの離間距離として観察距離が規定されており、前記画素から前記光学素子までの前記離間距離である光学素子離間距離は、前記観察距離とは異なる前記離間距離に対応して設定されている、ことを特徴とする電気光学装置。
【００１２】
この適用例の電気光学装置は、複数の画素と、光学素子と、を含んでいる。複数の画素は、画像を形成する光を射出する。光学素子は、画素から射出された光が及ぶ範囲を画素ごとに制限する。
複数の画素は、複数組の画素群に区分されている。画素群は、複数の画素を包含している。光学素子は、画素群に対応して設けられている。
この電気光学装置では、画素群が包含する複数の画素から射出された光が及ぶ範囲を、光学素子によって画素ごとに制限することができる。これにより、画素群が包含する各画素に対応した範囲に指向性表示を行うことができる。
この電気光学装置では、観察距離が規定されている。観察距離は、画素の法線方向において、画像を観察するときの画素から観察位置までの離間距離である。
また、この電気光学装置では、画素から光学素子までの離間距離である光学素子離間距離は、観察距離とは異なる離間距離に対応して設定されている。
上記の構成により、例えば、光学素子離間距離を観察距離よりも短い離間距離に対応して設定することにより、各画素に対応した範囲に及ぶ光の量を保ちつつ、適視範囲を、画素と光学素子との間の離間距離が観察距離に対応して設定されているときの適視範囲よりも広くすることができる。このため、この電気光学装置では、適視範囲を効率的に拡大しやすくすることができる。
【００１３】
［適用例２］上記の電気光学装置であって、前記光学素子離間距離は、前記観察距離よりも短い前記離間距離に対応している、ことを特徴とする電気光学装置。
【００１４】
この適用例では、光学素子離間距離は、観察距離よりも短い離間距離に対応している。これにより、各画素に対応した範囲に及ぶ光の量を保ちつつ、適視範囲を、画素と光学素子との間の離間距離が観察距離に対応して設定されているときの適視範囲よりも広くすることができる。
【００１５】
［適用例３］上記の電気光学装置であって、前記光学素子は、前記複数の画素の前記光の射出側に設けられた遮光膜を有しており、前記遮光膜には、前記画素群ごとに開口部が設けられている、ことを特徴とする電気光学装置。
【００１６】
この適用例では、遮光膜に設けられた開口部を介して、画素からの光が及ぶ範囲を制限することができる。
【００１７】
［適用例４］上記の電気光学装置であって、前記画像は、相互に異なる視点から捉えられた複数の画像を含んでおり、前記複数の画像は、前記複数の画像間で視差を付与する視差画像を構成している、ことを特徴とする電気光学装置。
【００１８】
この適用例では、複数の画像は、相互に異なる視点から捉えられている。複数の画像は、複数の画像間で視差を付与する視差画像を構成している。これにより、擬似的な立体画像を表示することができる。
【００１９】
［適用例５］上記の電気光学装置を表示部として有する、ことを特徴とする電子機器。
【００２０】
この適用例の電子機器は、表示部としての電気光学装置が、複数の画素と、光学素子と、を含んでいる。複数の画素は、画像を形成する光を射出する。光学素子は、画素から射出された光が及ぶ範囲を画素ごとに制限する。
複数の画素は、複数組の画素群に区分されている。画素群は、複数の画素を包含している。光学素子は、画素群に対応して設けられている。
この電気光学装置では、画素群が包含する複数の画素から射出された光が及ぶ範囲を、光学素子によって画素ごとに制限することができる。これにより、画素群が包含する各画素に対応した範囲に指向性表示を行うことができる。
この電気光学装置では、観察距離が規定されている。観察距離は、画素の法線方向において、画像を観察するときの画素から観察位置までの離間距離である。
また、この電気光学装置では、画素から光学素子までの離間距離である光学素子離間距離は、観察距離とは異なる離間距離に対応して設定されている。
上記の構成により、例えば、光学素子離間距離を観察距離よりも短い離間距離に対応して設定することにより、各画素に対応した範囲に及ぶ光の量を保ちつつ、適視範囲を、画素と光学素子との間の離間距離が観察距離に対応して設定されているときの適視範囲よりも広くすることができる。このため、この電気光学装置では、適視範囲を効率的に拡大しやすくすることができる。
この適用例の電子機器は、適視範囲を効率的に拡大しやすくすることができる電気光学装置を表示部として有している。このため、この電子機器では、表示部における適視範囲を効率的に拡大しやすくすることができる。
【発明を実施するための最良の形態】
【００２１】
実施形態について、電気光学装置の１つである液晶装置を利用した表示装置を例に、図面を参照しながら説明する。
実施形態における表示装置１は、図１に示すように、表示パネル３と、照明装置５と、を有している。
【００２２】
ここで、表示パネル３には、複数の画素７が設定されている。複数の画素７は、表示領域８内で、図中のＸ方向及びＹ方向に配列しており、Ｘ方向を行方向とし、Ｙ方向を列方向とするマトリクスＭを構成している。
ここで、本実施形態では、画素７は、図３に示すように、長辺と短辺とを有する四辺形を呈している。Ｘ方向は、画素７の短辺が延在する方向である。また、Ｙ方向は、画素７の長辺が延在する方向である。本実施形態では、Ｘ方向及びＹ方向は、互いに直交（交差）する方向である。
【００２３】
表示装置１は、照明装置５から表示パネル３に入射された光を、表示パネル３に設定されている複数の画素７から選択的に表示面９を介して表示パネル３の外に射出することで、表示面９に画像を表示することができる。なお、表示領域８とは、画像が表示され得る領域である。また、本実施形態では、後述する偏光板１９ｂ（図２）の表面に、表示面９が設定されている。図１では、構成をわかりやすく示すため、画素７が誇張され、且つ画素７の個数が減じられている。
【００２４】
表示パネル３は、図１中のＡ−Ａ線における断面図である図２に示すように、液晶パネル１１と、バリア基板１３と、偏光板１９ａと、偏光板１９ｂと、を有している。
液晶パネル１１は、素子基板２１と、対向基板２３と、液晶２５と、シール材２７と、を有している。
素子基板２１には、表示面９側すなわち液晶２５側に、複数の画素７のそれぞれに対応して、後述するスイッチング素子などが設けられている。
【００２５】
対向基板２３は、素子基板２１よりも表示面９側で素子基板２１に対向し、且つ素子基板２１との間に隙間を有した状態で設けられている。対向基板２３には、表示装置１における表示面９の裏面に相当する面である底面２９側すなわち液晶２５側に、後述する対向電極などが設けられている。
【００２６】
液晶２５は、素子基板２１及び対向基板２３の間に介在しており、表示パネル３の周縁よりも内側で表示領域８を囲むシール材２７によって、素子基板２１及び対向基板２３の間に封止されている。なお、本実施形態では、液晶２５として、ＴＮ（Twisted Nematic）型が採用されている。
【００２７】
バリア基板１３は、対向基板２３よりも表示面９側で対向基板２３に対向した状態で設けられている。バリア基板１３には、底面２９側すなわち液晶パネル１１側に、後述する遮光膜が設けられている。
偏光板１９ａは、液晶パネル１１よりも底面２９側に設けられている。偏光板１９ｂは、バリア基板１３よりも表示面９側に設けられている。
偏光板１９ａ及び偏光板１９ｂは、それぞれ、透過軸を有している。これらの偏光板１９ａ及び偏光板１９ｂは、それぞれ、透過軸の方向に偏光軸を有する光を透過させることができる。
【００２８】
なお、液晶パネル１１とバリア基板１３との間や、バリア基板１３よりも表示面９側に、光学補償フィルムを設けた構成も採用され得る。光学補償フィルムを設けることで、表示パネル３を表示面９の法線方向から見たときや、法線方向から傾斜した方向から見たときなどの液晶２５の位相差を補償することができる。これにより、光漏れを低減することができ、コントラストの向上が図られる。
【００２９】
光学補償フィルムとしては、屈折率異方性が負のディスコティック液晶分子等をハイブリッド配向させた負の一軸性媒体（例えば、富士フィルム製のＷＶフィルム）などが採用され得る。また、屈折率異方性が正のネマチック液晶分子等をハイブリッド配向させた正の一軸性媒体（例えば、日本石油製のＮＨフィルム）なども採用され得る。さらに、負の一軸性媒体と正の一軸性媒体とを組み合わせた構成も採用され得る。その他、各方向の屈折率がｎｘ＞ｎｙ＞ｎｚとなる二軸性媒体や、負のＣ−Ｐｌａｔｅ等も採用され得る。
【００３０】
照明装置５は、表示パネル３よりも底面２９側に設けられている。照明装置５は、導光板４１と、光源４３と、を有している。
導光板４１は、偏光板１９ａよりも底面２９側に設けられており、側面４５ａと、光射出面４５ｂと、底面４５ｃと、を有している。導光板４１は、光射出面４５ｂが表示面９側すなわち偏光板１９ａ側に向けられた状態で設けられている。光射出面４５ｂは、偏光板１９ａに対向している。
光源４３は、例えば、ＬＥＤ（Light Emitting Diode）や冷陰極管などが採用され、導光板４１の側面４５ａに対向した状態で設けられている。
【００３１】
光源４３からの光は、導光板４１の側面４５ａに入射される。導光板４１に入射された光は、導光板４１の中で反射しながら光射出面４５ｂから射出される。光射出面４５ｂから射出された光は、偏光板１９ａを介して液晶パネル１１に入射される。なお、導光板４１には、必要に応じて、光射出面４５ｂに拡散板が設けられ、底面４５ｃに反射板が設けられる。
【００３２】
表示パネル３に設定されている複数の画素７は、それぞれ、表示面９から射出する光の色が、図３に示すように、赤系（Ｒ）、緑系（Ｇ）及び青系（Ｂ）のうちの１つに設定されている。つまり、マトリクスＭを構成する複数の画素７は、Ｒの光を射出する画素７Ｒと、Ｇの光を射出する画素７Ｇと、Ｂの光を射出する画素７Ｂとを含んでいる。
【００３３】
ここで、Ｒの色は、純粋な赤の色相に限定されず、橙等を含む。Ｇの色は、純粋な緑の色相に限定されず、青緑や黄緑等を含む。Ｂの色は、純粋な青の色相に限定されず、青紫や青緑等を含む。他の観点から、Ｒの色を呈する光は、光の波長のピークが、可視光領域で５７０ｎｍ以上の範囲にある光であると定義され得る。また、Ｇの色を呈する光は、光の波長のピークが５００ｎｍ〜５６５ｎｍの範囲にある光であると定義され得る。Ｂの色を呈する光は、光の波長のピークが４１５ｎｍ〜４９５ｎｍの範囲にある光であると定義され得る。
【００３４】
マトリクスＭでは、Ｙ方向に沿って並ぶ複数の画素７が、１つの画素列５１を構成している。また、Ｘ方向に沿って並ぶ複数の画素７が、１つの画素行５３を構成している。この観点から、画素７の長辺が延在する方向であるＹ方向は、画素列５１が延在する方向であるともみなされ得る。また、画素７の短辺が延在する方向であるＸ方向は、画素行５３が延在する方向であるともみなされ得る。
１つの画素列５１内の各画素７は、光の色がＲ、Ｇ及びＢのうちの１つに設定されている。つまり、マトリクスＭは、複数の画素７ＲがＹ方向に配列した画素列５１Ｒと、複数の画素７ＧがＹ方向に配列した画素列５１Ｇと、複数の画素７ＢがＹ方向に配列した画素列５１Ｂとを有している。そして、マトリクスＭでは、画素列５１Ｒ、画素列５１Ｇ及び画素列５１Ｂが、Ｘ方向に沿って反復して並んでいる。
なお、以下においては、画素列５１という表記と、画素列５１Ｒ、画素列５１Ｇ及び画素列５１Ｂという表記とが、適宜、使いわけられる。
【００３５】
また、表示装置１では、マトリクスＭを構成する複数の画素７は、図４に示すように、複数の第１の画素７1と、複数の第２の画素７2と、に区別されている。表示装置１では、照明装置５から表示パネル３に入射された光を、複数の第１の画素７1から選択的に表示面９を介して表示パネル３の外に射出することで、表示面９に第１の画像を表示することができる。
また、表示装置１では、照明装置５から表示パネル３に入射された光を、複数の第２の画素７2から選択的に表示面９を介して表示パネル３の外に射出することで、表示面９に第２の画像を表示することができる。
表示装置１では、第１の画像及び第２の画像を、同一フレーム内で表示することができる。
【００３６】
なお、第１の画像と第２の画像とは、相互に異なる画像であることと、相互に同じ画像であることとが問われない。
また、以下においては、画素７という表記と、画素７Ｒ，７Ｇ及び７Ｂという表記と、第１の画素７1及び第２の画素７2という表記とが、適宜、使いわけられる。また、第１の画素７1に対してＲ、Ｇ及びＢが識別される場合、第１の画素７Ｒ1，７Ｇ1及び７Ｂ1という表記が用いられる。同様に、第２の画素７2に対してＲ、Ｇ及びＢが識別される場合、第２の画素７Ｒ2，７Ｇ2及び７Ｂ2という表記が用いられる。
【００３７】
マトリクスＭにおいて、複数の第１の画素７1は、Ｖ方向に沿って並んでいる。また、複数の第２の画素７2も、Ｖ方向に沿って並んでいる。Ｖ方向に沿って並ぶ複数の第１の画素７1は、１つの画素配列５７1を構成している。同様に、Ｖ方向に沿って並ぶ複数の第２の画素７2が１つの画素配列５７2を構成している。
なお、Ｖ方向は、Ｘ方向及びＹ方向の双方に対して交差する方向である。
【００３８】
表示装置１では、第１の画素７1と第２の画素７2とが、Ｘ方向に交互に並んでいる。また、第１の画素７1と第２の画素７2とは、Ｙ方向にも交互に並んでいる。
マトリクスＭを構成する複数の画素７は、Ｘ方向に隣り合う第１の画素７1及び第２の画素７2の２つの画素７ごとに、これらの２つの画素７を１組とする複数組の画素群５５にわけられている。各画素群５５での第１の画素７1及び第２の画素７2の並び順は、複数組の画素群５５間で統一している。
【００３９】
本実施形態では、第１の画素７1と第２の画素７2とが、図４で見て、Ｘ方向に左側から右側に向かってこの順で並んでいる。なお、第１の画素７1及び第２の画素７2の並び順は、複数組の画素群５５間で統一していれば、いずれが左側でも右側でもよい。
表示装置１では、複数組の画素群５５は、図５に示すように、Ｘ方向及びＶ方向のそれぞれの方向に沿って並んでいる。
【００４０】
ここで、表示パネル３の構成について、詳細を説明する。
液晶パネル１１の素子基板２１は、図３中のＤ−Ｄ線における断面図である図６に示すように、第１基板６１を有している。第１基板６１は、例えばガラスや石英などの光透過性を有する材料で構成されており、表示面９側に向けられた第１面６３ａと、底面２９側に向けられた第２面６３ｂと、を有している。
【００４１】
第１基板６１の第１面６３ａには、ゲート絶縁膜６５が設けられている。ゲート絶縁膜６５の表示面９側には、絶縁膜６７が設けられている。絶縁膜６７の表示面９側には、配向膜６９が設けられている。
また、素子基板２１には、各画素７に対応して、スイッチング素子の１つであるＴＦＴ（Thin Film Transistor）素子７１と、画素電極７３とが、第１基板６１の第１面６３ａ側に設けられている。
ＴＦＴ素子７１は、ゲート電極７５と、半導体層７７と、ソース電極７９と、ドレイン電極８１と、を有している。
【００４２】
ゲート電極７５は、第１基板６１の第１面６３ａに設けられており、ゲート絶縁膜６５によって表示面９側から覆われている。なお、ゲート電極７５の材料としては、例えば、モリブデン、タングステン、クロムなどの金属や、これらを含む合金などが採用され得る。また、ゲート絶縁膜６５の材料としては、例えば、酸化シリコンや窒化シリコンなどの光透過性を有する無機材料が採用され得る。本実施形態では、ゲート絶縁膜６５の材料として、酸化シリコンが採用されている。
半導体層７７は、例えばアモルファスシリコンで構成されており、ゲート絶縁膜６５を挟んでゲート電極７５に対向する位置に設けられている。
【００４３】
ソース電極７９は、ゲート絶縁膜６５の表示面９側に設けられており、一部が半導体層７７に重なっている。ドレイン電極８１は、ゲート絶縁膜６５の表示面９側に設けられており、一部が半導体層７７に重なっている。なお、ソース電極７９やドレイン電極８１の材料としては、例えば、金、銀、銅、アルミニウムなどの金属や、これらを含む合金などが採用され得る。
なお、ＴＦＴ素子７１は、領域８８内に設けられており、ドレイン電極８１が領域８８内から画素７の領域内に延長されている。
【００４４】
上記の構成を有するＴＦＴ素子７１は、半導体層７７がゲート電極７５と、ソース電極７９及びドレイン電極８１との間に位置する所謂ボトムゲート型である。このＴＦＴ素子７１は、絶縁膜６７によって表示面９側から覆われている。なお、絶縁膜６７の材料としては、例えば、酸化シリコンや窒化シリコンなどの無機材料の他に、アクリル系の樹脂などの光透過性を有する有機材料も採用され得る。本実施形態では、絶縁膜６７の材料として、アクリル系の樹脂が採用されている。
【００４５】
画素電極７３は、絶縁膜６７の表示面９側に設けられている。画素電極７３は、例えばＩＴＯ（Indium Tin Oxide）やインジウム亜鉛酸化物等の光透過性を有する材料や、マグネシウムと銀とを含む合金等を薄膜化して光透過性を付与したものなどで構成され得る。画素電極７３は、絶縁膜６７に設けられたコンタクトホール８３を介してドレイン電極８１につながっている。
配向膜６９は、例えばポリイミドなどの光透過性を有する材料で構成されており、絶縁膜６７及び画素電極７３を表示面９側から覆っている。なお、配向膜６９には、ラビング処理などの配向処理が施されている。
【００４６】
対向基板２３は、第２基板８５を有している。第２基板８５は、例えばガラスや石英などの光透過性を有する材料で構成されており、表示面９側に向けられた外向面８６ａと、底面２９側に向けられた対向面８６ｂとを有している。
第２基板８５の対向面８６ｂには、各画素７を区画する光吸収層８７が領域８８にわたって設けられている。表示装置１では、各画素７は、光吸収層８７によって囲まれた領域であると定義され得る。光吸収層８７は、例えば、カーボンブラックやクロムなどの光吸収性が高い材料を含有する樹脂などで構成されており、平面視で格子状に設けられている。
【００４７】
また、第２基板８５の対向面８６ｂには、光吸収層８７によって囲まれた各領域、すなわち各画素７の領域を底面２９側から覆うカラーフィルター８９が設けられている。
ここで、カラーフィルター８９は、入射された光のうち所定の波長域の光を透過させることができる。カラーフィルター８９は、画素７Ｒ、画素７Ｇ及び画素７Ｂごとに異なる色に着色された樹脂などで構成されている。画素７Ｒに対応するカラーフィルター８９は、Ｒの光を透過させることができる。画素７Ｇに対応するカラーフィルター８９はＧの光を透過させ、画素７Ｂに対応するカラーフィルター８９はＢの光を透過させることができる。なお、以下において、各カラーフィルター８９に対してＲ、Ｇ及びＢが識別される場合に、カラーフィルター８９Ｒ，８９Ｇ及び８９Ｂという表記が用いられる。
【００４８】
光吸収層８７及びカラーフィルター８９の底面２９側には、オーバーコート層９１が設けられている。オーバーコート層９１は、光透過性を有する樹脂などで構成されており、光吸収層８７及びカラーフィルター８９を底面２９側から覆っている。
オーバーコート層９１の底面２９側には、対向電極９３が設けられている。対向電極９３は、例えばＩＴＯやインジウム亜鉛酸化物等の光透過性を有する材料や、マグネシウムと銀とを含む合金等を薄膜化して光透過性を付与したものなどで構成され得る。
【００４９】
対向電極９３は、マトリクスＭを構成する複数の画素７間にわたって一連した状態で設けられている。つまり、対向電極９３は、マトリクスＭを構成する複数の画素７に平面視で重なる領域に設けられており、複数の画素７間にわたって共通して機能する。なお、対向電極９３は、図示しない共通線につながっている。
対向電極９３の底面２９側には、配向膜９５が設けられている。配向膜９５は、例えばポリイミドなどの光透過性を有する材料で構成されており、対向電極９３を底面２９側から覆っている。配向膜９５には、ラビング処理などの配向処理が施されている。
【００５０】
素子基板２１及び対向基板２３の間に介在する液晶２５は、配向膜６９と配向膜９５との間に介在している。表示装置１では、図２に示すシール材２７は、図６に示す第１基板６１の第１面６３ａと、第２基板８５の対向面８６ｂとによって挟持されている。つまり、表示装置１では、液晶２５は、第１基板６１及び第２基板８５によって保持されている。なお、シール材２７は、配向膜６９及び配向膜９５の間に設けられていてもよい。この場合、液晶２５は、素子基板２１及び対向基板２３に保持されているとみなされ得る。
【００５１】
また、表示装置１において、液晶２５を駆動する最小単位が画素７であるという観点から、各画素７は、１つの画素電極７３と、この１つの画素電極７３に平面視で重なる領域内の対向電極９３と、によっても規定され得る。平面視で、１つの画素電極７３と対向電極９３とが重なり合う領域が１つの画素７の領域とみなされ得る。このため、画素７は、１つのＴＦＴ素子７１と、このＴＦＴ素子７１に電気的につながる画素電極７３と、この画素電極７３に平面視で重なる対向電極９３と、この画素電極７３及び対向電極９３の間に介在する液晶２５と、１つのカラーフィルター８９と、を有する素子であるともみなされ得る。
【００５２】
バリア基板１３は、第３基板１０１を有している。第３基板１０１は、例えばガラスや石英などの光透過性を有する材料で構成されており、表示面９側に向けられた外向面１０２ａと、底面２９側に向けられた対向面１０２ｂと、を有している。
第３基板１０１の対向面１０２ｂには、遮光膜１０３が設けられている。
ここで、遮光膜１０３は、マトリクスＭを構成する複数の画素７間にわたって設けられている。つまり、遮光膜１０３は、マトリクスＭを構成する複数の画素７に平面視で重なる領域に設けられている。遮光膜１０３は、例えば、カーボンブラックなどを含有する樹脂や、クロムなどの光吸収性が高い材料で構成され得る。
遮光膜１０３には、開口部１０５が設けられている。開口部１０５の外側の領域は、遮光部１０７とされている。
【００５３】
遮光膜１０３の底面２９側には、オーバーコート層１０８が設けられている。オーバーコート層１０８は、光透過性を有する樹脂などで構成されており、遮光膜１０３を底面２９側から覆っている。
なお、光の屈折を軽減する観点から、開口部１０５内には、オーバーコート層１０８が入り込んでいることが、好ましい。さらに、開口部１０５内がオーバーコート層１０８で満たされていることが、より好ましい。
【００５４】
上記の構成を有するバリア基板１３は、光透過性を有する接着剤１０９を介して、液晶パネル１１に貼り付けられている。本実施形態では、対向面１０２ｂが第２基板８５の外向面８６ａに向けられた状態で、オーバーコート層１０８が外向面８６ａに接着剤１０９を介して貼り付けられている。
【００５５】
遮光膜１０３には、平面図である図７に示すように、複数の開口部１０５が設けられている。開口部１０５は、画素群５５ごとに設けられている。
なお、図７では、構成をわかりやすく示すため、遮光膜１０３にハッチングが施されている。
開口部１０５は、図５中のＥ−Ｅ線における断面図である図８に示すように、画素群５５を構成する第１の画素７1及び第２の画素７2に平面視で重なる領域に設けられている。
【００５６】
ところで、素子基板２１は、図８に示すように、複数のソース線Ｓを有している。複数のソース線Ｓは、ゲート絶縁膜６５上に設けられており、絶縁膜６７によって表示面９側から覆われている。
Ｙ方向に隣り合うＴＦＴ素子７１間において、ソース電極７９同士は、平面図である図９に示すように、ソース線Ｓを介してつながっている。また、Ｘ方向に隣り合うＴＦＴ素子７１間において、ゲート電極７５同士は、ゲート線Ｔを介してつながっている。図９では、構成をわかりやすく示すため、ゲート線Ｔ及び画素電極７３のそれぞれにハッチングが施されている。
なお、各画素電極７３は、平面視で周縁部が領域８８内に及んでいる。
【００５７】
ここで、ゲート電極７５は、Ｘ方向に沿って並ぶ複数の画素７間にわたって一連したゲート線Ｔとして設けられている。そして、画素７ごとにゲート線Ｔに対向する位置に半導体層７７が設けられている。各ゲート線Ｔにおいて、平面視で半導体層７７に重なる領域がゲート電極７５であると定義され得る。
なお、図６における液晶パネル１１の断面は、図９中のＦ−Ｆ線における断面に相当している。
【００５８】
上記の構成を有する表示装置１では、照明装置５から表示パネル３に光を照射した状態で、液晶２５の配向状態を画素７ごとに変化させることにより、表示が制御される。液晶２５の配向状態は、画素電極７３及び対向電極９３間に印加する電圧（以下、駆動電圧と呼ぶ）を制御することによって変化し得る。
配向膜６９及び配向膜９５のそれぞれには、配向処理が施されている。配向処理が施された配向膜６９及び配向膜９５によって、液晶２５の初期的な配向状態が規制される。
表示装置１では、駆動電圧が０Ｖのときに、液晶２５がオフ状態にある。駆動電圧が大きくなると、画素電極７３及び対向電極９３間に発生する電界によって液晶２５が駆動される。液晶２５が駆動された状態は、オン状態と呼ばれる。
【００５９】
図１０（ａ）は、液晶２５がオフ状態のときの液晶パネル１１での偏光状態を示す図である。図１０（ｂ）は、液晶２５がオン状態のときの液晶パネル１１での偏光状態を示す図である。
表示装置１では、偏光板１９ａの透過軸の方向１６１ａは、図１０（ａ）及び図１０（ｂ）に示すように、平面視で偏光板１９ｂの透過軸の方向１６１ｂに直交している。配向膜６９の配向方向１６３は、平面視で透過軸の方向１６１ａに沿っている。配向膜９５の配向方向１６５は、平面視で透過軸の方向１６１ａに直交している。
なお、図１０（ａ）及び図１０（ｂ）において、Ｘ'方向及びＹ'方向は、Ｘ'方向が平面視で偏光板１９ｂの透過軸の方向１６１ｂに沿った方向を示し、Ｙ'方向がＸＹ平面内でＸ'方向に直交する方向を示している。Ｘ'方向及びＹ'方向は、ＸＹ平面内で互いに直交する任意の２方向である。
【００６０】
光源４３から導光板４１を介して偏光板１９ａに入射された入射光は、偏光板１９ａの透過軸の方向１６１ａすなわちＹ'方向に沿った偏光軸を有する直線偏光１６７として液晶２５に入射される。
液晶２５に入射された直線偏光１６７は、液晶２５がオフ状態のときに、図１０（ａ）に示すように、Ｘ'方向に沿った偏光軸を有する直線偏光１６９として偏光板１９ｂに向けて射出される。偏光板１９ｂに向けて射出された直線偏光１６９は、偏光軸の方向が偏光板１９ｂの透過軸の方向１６１ｂに沿っているため、偏光板１９ｂを透過する。
【００６１】
他方で、液晶２５がオン状態のときに、直線偏光１６７は、図１０（ｂ）に示すように、偏光状態が維持されたまま直線偏光１６７として偏光板１９ｂに向けて射出される。偏光板１９ｂに向けて射出された直線偏光１６７は、偏光軸の方向が偏光板１９ｂの透過軸の方向１６１ｂに対して直交しているため、偏光板１９ｂによって吸収される。
【００６２】
表示装置１では、液晶２５がオフ状態のときに液晶パネル１１から表示面９側に光が射出され、液晶２５がオン状態のときに液晶パネル１１からの光の射出が遮断される所謂ノーマリーホワイト（初期的に“白表示”の状態）の表示モードが採用されている。しかしながら、表示モードは、ノーマリーホワイトに限定されず、所謂ノーマリーブラック（初期的に“黒表示”の状態）も採用され得る。
【００６３】
前述したように、表示装置１は、画素群５５ごとに開口部１０５が設けられた遮光膜１０３を有している。照明装置５から各画素７に入射された光は、開口部１０５を介して表示面９側に射出される。
このとき、第１の画素７1から表示面９側に向けて射出された光１８１は、図１１に示すように、開口部１０５を介して第１の範囲１８３に及ぶ。第１の範囲１８３は、離間距離がＬ１の距離となる位置に展開される範囲である。離間距離は、画素７（液晶パネル１１）の法線方向において、画素７から表示面９側に離間した距離である。
【００６４】
なお、本実施形態では、複数の第１の画素７1から射出された光１８１は、Ｌ１の離間距離において、第１の範囲１８３の両端のそれぞれで交差する。これは、画素７から遮光膜１０３までの離間距離であるバリア離間距離がＬ２となる距離において、Ｘ方向に隣り合う開口部１０５同士間の間隔Ｐａを、Ｘ方向に隣り合う画素群５５同士間の間隔Ｐｂよりも短く設定することによって実現され得る。これにより、第１の範囲１８３内から、すべての第１の画素７1を視認することができる。この結果、表示における表示品位を高めることができる。
本実施形態では、Ｌ１の離間距離に対応して、Ｌ２のバリア離間距離が設定されている。
【００６５】
また、第２の画素７2から表示面９側に向けて射出された光１８５は、図１２に示すように、開口部１０５を介して第２の範囲１８７に及ぶ。第２の範囲１８７も、離間距離がＬ１の距離となる位置に展開される。複数の第２の画素７2から射出された光１８５は、Ｌ１の離間距離において、第２の範囲１８７の両端のそれぞれで交差する。
第１の範囲１８３（図１１）からは、各開口部１０５を介して射出される第１の画素７1からの光１８１が視認され得る。第２の範囲１８７（図１２）からは、各開口部１０５を介して射出される第２の画素７2からの光１８５が視認され得る。
【００６６】
第１の範囲１８３内に視点があれば、複数の第１の画素７1からの光１８１によって形成される第１の画像が視認され得る。第２の範囲１８７内に視点があれば、複数の第２の画素７2からの光１８５によって形成される第２の画像が視認され得る。
つまり、表示装置１では、第１の画像を第１の範囲１８３に表示し、第２の画像を第２の範囲１８７に表示することができる。第１の範囲１８３及び第２の範囲１８７は、相互に異なる範囲である。このように、表示装置１では、Ｘ方向に並ぶ２つの範囲に指向性表示を行うことができる。
【００６７】
第１の範囲１８３と、第２の範囲１８７とは、図１３に示すように、互いに重畳する範囲１９５（以下、重畳範囲１９５と呼ぶ）を有している。
ところで、表示装置１では、第１の範囲１８３及び第２の範囲１８７の外側にも、画素７からの光が及ぶ範囲が存在する。
ここで、Ｘ方向に連続して並ぶ３つの画素群５５を、図１４に示すように、それぞれ、画素群５５ａ，５５ｂ及び５５ｃとする。このとき、画素群５５ａ，５５ｂ及び５５ｃのそれぞれに対応する開口部１０５ａ，１０５ｂ及び１０５ｃも、Ｘ方向に連続して並んでいる。
【００６８】
開口部１０５ｂを介して画素群５５ｂの第１の画素７1によって展開される第１の範囲１８３の画素群５５ｃ側には、開口部１０５ｂを介して画素群５５ａの第２の画素７2によって展開される第２の範囲１８７が出現する。
また、開口部１０５ｂを介して画素群５５ｂの第２の画素７2によって展開される第２の範囲１８７の画素群５５ａ側には、開口部１０５ｂを介して画素群５５ｃの第１の画素７1によって展開される第１の範囲１８３が出現する。
つまり、表示装置１では、第１の画像が視認され得る第１の範囲１８３と、第２の画像が視認され得る第２の範囲１８７とが、Ｘ方向に交互に出現する。
【００６９】
Ｘ方向に隣り合う第１の範囲１８３と第２の範囲１８７とは、重畳範囲１９５を共有している。
第１の範囲１８３から重畳範囲１９５を除いた範囲２０１（以下、適視範囲２０１と呼ぶ）からは、第１の画像だけが視認され得る。また、第２の範囲１８７から重畳範囲１９５を除いた範囲２０３（以下、適視範囲２０３と呼ぶ）からは、第２の画像だけが視認され得る。
重畳範囲１９５からは、第１の画像と第２画像とが重畳した重畳画像が視認される。
【００７０】
ところで、適視範囲２０１や適視範囲２０３を拡大する方法としては、前述したように、開口部１０５のＸ方向における幅を狭くする方法が考えられる。しかしながら、開口部１０５の幅を狭くすると、画像が暗くなりやすい。
表示装置１では、観察位置ＶＰまでの離間距離が、図１５に示すように、Ｌ３の距離に設定されている。Ｌ３とＬ１とは、Ｌ３＞Ｌ１の関係を有している。観察位置ＶＰは、指向性表示の観察のときに推奨される視点の位置である。
なお、Ｌ３の距離は、観察距離Ｌ３と呼ばれる。本実施形態では、観察位置ＶＰは、観察面ＶＰＬとして規定され得る。観察面ＶＰＬは、離間距離が観察距離Ｌ３となる位置に仮想的に展開される面である。観察面ＶＰＬ内にある任意の位置は、離間距離が観察距離Ｌ３であるので、観察位置ＶＰとなる。
【００７１】
ところで、従来の表示装置においては、観察距離Ｌ３に対応して、Ｌ２の距離が設定されている。つまり、従来の表示装置では、Ｌ１＝Ｌ３に設定されている。
これに対し、本実施形態の表示装置１では、Ｌ３とＬ１とが、互いに異なる距離に設定されている。これにより、表示装置１では、画素７から遮光膜１０３までの離間距離であるバリア離間距離が、観察距離Ｌ３とは異なる離間距離であるＬ１の距離に対応して設定されている。
本実施形態では、Ｌ３とＬ１とが、Ｌ３＞Ｌ１の関係を有している。つまり、表示装置１では、画素７から遮光膜１０３までの離間距離であるバリア離間距離が、観察距離Ｌ３よりも短い離間距離であるＬ１の距離に対応して設定されている。このため、表示装置１では、Ｌ２のバリア離間距離は、観察距離Ｌ３に対応する計算上のバリア離間距離よりも短い。
【００７２】
本実施形態では、観察距離Ｌ３の設定によって、適視範囲２０１や適視範囲２０３の拡大が実現されている。
第１の画素７1からの光１８１は、図１６に示すように、観察面ＶＰＬにおいて、第１の範囲１８３'に及ぶ。第２の画素７2からの光１８５は、観察面ＶＰＬにおいて、第２の範囲１８７'に及ぶ。
第１の範囲１８３'は、Ｌ１の離間距離における第１の範囲１８３よりも広い。同様に、第２の範囲１８７'も、Ｌ１の離間距離における第２の範囲１８７よりも広い。
このため、観察面ＶＰＬにおける適視範囲２０１'は、Ｌ１の離間距離における適視範囲２０１よりも広い。また、観察面ＶＰＬにおける適視範囲２０３'は、Ｌ１の離間距離における適視範囲２０３よりも広い。
【００７３】
上記の構成により、表示装置１では、開口部１０５の広さを保ったまま、適視範囲２０１や適視範囲２０３を適視範囲２０１'や適視範囲２０３'に拡大することができる。表示装置１では、開口部１０５の広さが保たれるので、開口部１０５を通過する光の量が保たれる。この結果、適視範囲２０１や適視範囲２０３を拡大しつつ、画像の明るさを保ちやすくすることができる。このため、表示装置１では、適視範囲２０１や適視範囲２０３を効率的に拡大しやすくすることができる。
【００７４】
本実施形態において、遮光膜１０３及び開口部１０５が光学素子に対応し、バリア離間距離Ｌ２が光学素子離間距離に対応している。
表示装置１において、第１の画像及び第２の画像を相互に異なる視点から捉えた画像とすれば、擬似的に立体画像を表示することができる。この場合、例えば、第１の画像を右眼用の画像とし、第２の画像を左眼用の画像とすれば、第１の画像及び第２の画像は、視差画像を構成する。これにより、擬似的な立体画像の表示が実現し得る。
表示装置１では、適視範囲２０１内に右眼が位置し、適視範囲２０３内に左眼が位置していれば、観察者は、擬似的に立体画像を視認することができる。
【００７５】
立体画像の視認においては、右眼用の画像を右眼で視認し、左眼用の画像を左眼で視認する正視状態に対して、右眼用の画像を左眼で視認し、左眼用の画像を右眼で視認する状態が逆視状態と呼ばれる。
正視状態では、視差画像を擬似的な立体画像として認識することができる。逆視状態では、視差画像を立体画像として認識することができない。逆視状態は、観察者に対して、映像酔い、視覚疲労などの不快感を与えることがある。
【００７６】
表示装置１において、離間距離がＬ１のときに、観察者の右眼が適視範囲２０１内に位置し、左眼が適視範囲２０３内に位置している状態が正視状態になる。
離間距離がＬ１のときに、表示装置１に対する観察者の位置がＸ方向にずれると、観察者の右眼及び左眼は、それぞれ、重畳範囲１９５内に位置する。この状態では、右眼及び左眼は、それぞれ、右眼用の画像と左眼用の画像との重畳画像を視認する。
離間距離がＬ１のときに、表示装置１に対する観察者の位置がＸ方向にさらにずれると、観察者の右眼が適視範囲２０３内に位置し、左眼が適視範囲２０１内に位置する。この状態が逆視状態である。
【００７７】
前述したように、本実施形態では、画素７（液晶パネル１１）から観察位置ＶＰ（観察面ＶＰＬ）までの離間距離として観察距離Ｌ３が設定されている。このため、表示装置１では、観察距離Ｌ３において適視範囲２０１'内に観察者の右眼が位置し、適視範囲２０３'内に観察者の左眼が位置する状態が正視状態である。また、表示装置１では、観察距離Ｌ３において適視範囲２０１'内に観察者の左眼が位置し、適視範囲２０３'内に観察者の右眼が位置する状態が逆視状態である。
観察距離Ｌ３における正視状態から逆視状態に至るまでの距離は、Ｌ１の離間距離における正視状態から逆視状態に至るまでの距離よりも長くなる。つまり、観察位置ＶＰ（観察面ＶＰＬ）では、正視状態から逆視状態に至るまでの距離（以下、正逆間距離と呼ぶ）を、Ｌ１の離間距離における正逆間距離よりも長くすることができる。
【００７８】
正逆間距離を長くすることができるということは、観察者の位置が正視状態の範囲を外れてから逆視状態に至るまでの距離を長くすることができることを意味する。このため、観察者は、観察者の位置が正視状態の範囲を外れてから逆視状態に至るまでの間に、立体画像を認識できる適正な範囲から外れたことに気付きやすくなる。これにより、逆視状態に至る前の段階で、表示装置１に対する観察者の位置の修正を観察者に促すことができる。
このように、本実施形態では、観察者に不快感を与えることを低く抑えやすくすることができる。
【００７９】
また、表示装置１では、前述したように、画像の明るさを保ちつつ、適視範囲２０１や適視範囲２０３を適視範囲２０１'や適視範囲２０３'に拡大することができる。このような表示装置１において、開口部１０５のＸ方向における幅を狭くすれば、画像が暗くなるものの、観察面ＶＰＬにおける適視範囲２０１'や適視範囲２０３'を拡大することができる。表示装置１で開口部１０５のＸ方向における幅を狭くすることは、観察位置ＶＰまでの離間距離がＬ１に設定されている従来の表示装置に比較して、画像が暗くなる程度を同等に保ちつつ、適視範囲２０１'や適視範囲２０３'を拡大することができる点で好ましい。
【００８０】
なお、本実施形態では、図５に示すように、複数組の画素群５５がＸ方向及びＶ方向のそれぞれの方向に沿って並んでいる。しかしながら、複数組の画素群５５の配列は、これに限定されない。複数組の画素群５５の配列としては、図１７に示すように、Ｘ方向及びＹ方向のそれぞれの方向に沿って並ぶ構成も採用され得る。
図１７に示す画素群５５の配列では、複数の第１の画素７1は、図１８に示すように、Ｙ方向に沿って並ぶ画素列５１1を構成する。同様に、複数の第２の画素７2も、Ｙ方向に沿って並ぶ画素列５１2を構成する。
以下において、図１７及び図１８のそれぞれに示す配列は、マトリクスＭ２と呼ばれる。
マトリクスＭ２に対しては、図１９に示すように、Ｙ方向に並ぶ複数組の画素群５５にわたって一連した開口部１０５を有する遮光膜１０３'が採用され得る。また、遮光膜１０３'としては、開口部１０５を画素群５５ごとに個別に設けた構成も採用され得る。
【００８１】
また、本実施形態では、図６に示すように、対向基板２３がカラーフィルター８９を有している。しかしながら、カラーフィルター８９を有する基板は、対向基板２３に限定されず、バリア基板１３も採用され得る。
この場合、液晶パネル１１は、図２０に示すように、対向基板２１３を有している。また、表示パネル３は、バリア基板２１５を有している。
【００８２】
対向基板２１３は、カラーフィルター８９が省略されていることを除いては、対向基板２３と同様の構成を有している。従って、以下においては、対向基板２３と同一の構成については、同一の符号を付して、詳細な説明を省略する。
また、バリア基板２１５は、カラーフィルター８９が設けられていることを除いては、バリア基板１３と同様の構成を有している。従って、以下においては、バリア基板１３と同一の構成については、同一の符号を付して、詳細な説明を省略する。
【００８３】
カラーフィルター８９は、開口部１０５に重なる領域に設けられている。バリア基板２１５では、カラーフィルター８９が開口部１０５に重なる領域にわたって設けられていることが好ましい。この場合、カラーフィルター８９が開口部１０５内の領域からはみ出ていてもかまわない。
【００８４】
また、本実施形態では、図６に示すように、バリア基板１３が遮光膜１０３を有している。しかしながら、遮光膜１０３を有する基板は、バリア基板１３に限定されず、対向基板２３も採用され得る。
この場合、液晶パネル１１は、図２１に示すように、対向基板２１７を有している。また、対向基板２１７を有する表示パネル３では、バリア基板１３（図６）が省略されている。
対向基板２１７を有する表示パネル３では、バリア基板１３（図６）を省略することができる。これにより、表示パネル３の薄型化が図られるため、表示装置１の小型化が図られる。
【００８５】
また、本実施形態では、表示パネル３が、図２に示すように、バリア基板１３を有しているが、表示パネル３の構成は、これに限定されない。表示パネル３の構成としては、図２２に示すように、レンズ基板２２１を有する構成も採用され得る。
レンズ基板２２１を有する表示装置１０は、バリア基板１３が省略され、且つレンズ基板２２１が設けられていることを除いては、表示装置１と同様の構成を有している。従って、以下においては、表示装置１と同一の構成については、同一の符号を付して、詳細な説明を省略する。
【００８６】
表示装置１０では、偏光板１９ｂが、図２２中のＫ−Ｋ線における断面図である図２３に示すように、対向基板２３の表示面９側に設けられている。
レンズ基板２２１は、液晶パネル１１よりも表示面９側に設けられている。レンズ基板２２１は、外向面２２２ａと、対向面２２２ｂと、複数のシリンドリカルレンズ２２３と、を有している。外向面２２２ａは、液晶パネル１１側とは反対側に向けられている。対向面２２２ｂは、液晶パネル１１側に向けられており、偏光板１９ｂを挟んで対向基板２３に対向している。
複数のシリンドリカルレンズ２２３は、外向面２２２ａに設けられている。シリンドリカルレンズ２２３は、液晶パネル１１側とは反対側に向かって凸となる凸レンズを構成している。
なお、図２３では、構成をわかりやすく示すため、シリンドリカルレンズ２２３が誇張され、且つシリンドリカルレンズ２２３の個数が減じられている。
【００８７】
図５に示すマトリクスＭに対して、シリンドリカルレンズ２２３は、図２４に示すように、画素群５５に対応して設けられており、それぞれＶ方向に延在する。
また、図１７（図１８）に示すマトリクスＭ２に対しては、シリンドリカルレンズ２２３は、図２５に示すように、画素群５５に対応して設けられており、それぞれＹ方向に延在する。
表示装置１０において、シリンドリカルレンズ２２３が光学素子に対応している。表示装置１０においても、表示装置１と同様の効果が得られる。
【００８８】
なお、表示装置１及び表示装置１０では、それぞれ、画素群５５が２つの画素７を有している。しかしながら、画素群５５が有する画素７の個数は、２つに限定されず、２つ以上の任意の個数が採用され得る。
また、表示装置１及び表示装置１０では、それぞれ、ＴＮ型の液晶２５を例に説明したが、液晶２５はこれに限定されず、ＦＦＳ（Fringe Field Switching）型、ＩＰＳ（In Plane Switching）型、ＶＡ（Vertical Alignment）型等の種々の型が採用され得る。
【００８９】
上述した表示装置１や表示装置１０は、例えば、図２６に示す電子機器５００の表示部５１０に適用され得る。この電子機器５００は、カーナビゲーションシステム用の表示機器である。電子機器５００では、表示装置１や表示装置１０が適用された表示部５１０によって、例えば、運転席側から第１の画像として地図などの画像が視認され、助手席側から第２の画像として映画などの画像が視認され得る。
また、電子機器５００では、表示部５１０として表示装置１や表示装置１０が適用されているので、指向性表示における適視範囲を効率的に拡大しやすくすることができる。
【００９０】
また、表示装置１や表示装置１０は、例えば、図２７に示す電子機器６００の表示部６１０にも適用され得る。この電子機器６００は、携帯電話機である。この電子機器６００は、操作ボタン６１１を有している。表示部６１０は、操作ボタン６１１で入力した内容や着信情報を始めとする様々な情報について表示を行うことができる。
電子機器６００では、表示装置１や表示装置１０が適用された表示部６１０によって、例えば、擬似的な立体画像を表示することができる。この電子機器６００では、表示部６１０に表示装置１や表示装置１０が適用されているので、擬似的な立体画像を表示しているときに、観察者に不快感を与えることを低く抑えることができる。
なお、電子機器５００や電子機器６００としては、カーナビゲーションシステム用の表示機器や携帯電話機に限られず、モバイルコンピューター、デジタルスチルカメラ、デジタルビデオカメラ、車載機器、オーディオ機器等の種々の電子機器が挙げられる。
【図面の簡単な説明】
【００９１】
【図１】本実施形態における表示装置の主要構成を示す分解斜視図。
【図２】図１中のＡ−Ａ線における断面図。
【図３】本実施形態における複数の画素の一部を示す平面図。
【図４】本実施形態における複数の画素の一部を示す平面図。
【図５】本実施形態における複数組の画素群の配列を説明する平面図。
【図６】図３中のＤ−Ｄ線における断面図。
【図７】本実施形態における遮光膜を示す平面図。
【図８】図５中のＥ−Ｅ線における断面図。
【図９】本実施形態におけるＴＦＴ素子及び画素電極の配置を示す平面図。
【図１０】本実施形態における液晶パネルでの偏光状態を説明する図。
【図１１】本実施形態における液晶パネル及び遮光膜を模式的に示す断面図。
【図１２】本実施形態における液晶パネル及び遮光膜を模式的に示す断面図。
【図１３】本実施形態における液晶パネル及び遮光膜を模式的に示す断面図。
【図１４】本実施形態における液晶パネル及び遮光膜を模式的に示す断面図。
【図１５】本実施形態における液晶パネル及び遮光膜を模式的に示す断面図。
【図１６】本実施形態における液晶パネル及び遮光膜を模式的に示す断面図。
【図１７】本実施形態における複数組の画素群の配列の他の例を説明する平面図。
【図１８】本実施形態における複数組の画素群の配列の他の例を説明する平面図。
【図１９】本実施形態における遮光膜の他の例を示す平面図。
【図２０】本実施形態における対向基板及びバリア基板の他の例を示す断面図。
【図２１】本実施形態における対向基板の他の例を示す断面図。
【図２２】本実施形態における表示装置の他の例における主要構成を示す分解斜視図。
【図２３】図２２中のＫ−Ｋ線における断面図。
【図２４】本実施形態におけるレンズ基板の一部を示す平面図。
【図２５】本実施形態におけるレンズ基板の他の例を示す平面図。
【図２６】本実施形態における表示装置を適用した電子機器の斜視図。
【図２７】本実施形態における表示装置を適用した電子機器の斜視図。
【図２８】従来技術における課題を説明する図。
【符号の説明】
【００９２】
１，１０…表示装置、３…表示パネル、５…照明装置、７…画素、７1…第１の画素、７2…第２の画素、８…表示領域、９…表示面、１１…液晶パネル、１３…バリア基板、２９…底面、５５…画素群、１０３…遮光膜、１０３'…遮光膜、１０５…開口部、１０７…遮光部、１８１…光、１８３…第１の範囲、１８３'…第１の範囲、１８５…光、１８７…第２の範囲、１８７'…第２の範囲、１９５…重畳範囲、１９５'…重畳範囲、２０１…適視範囲、２０１'…適視範囲、２０３…適視範囲、２０３'…適視範囲、２１３…対向基板、２１５…バリア基板、２１７…対向基板、２２１…レンズ基板、２２３…シリンドリカルレンズ、５００…電子機器、５１０…表示部、６００…電子機器、６１０…表示部、６１１…操作ボタン、Ｌ１…距離、Ｌ２…バリア離間距離、Ｌ３…観察距離、Ｍ，Ｍ２…マトリクス、ＶＰ…観察位置、ＶＰＬ…観察面。
【図１】
2010175890.tif 000003
【図２】
2010175890.tif 000004
【図３】
2010175890.tif 000005
【図４】
2010175890.tif 000006
【図５】
2010175890.tif 000007
【図６】
2010175890.tif 000008
【図７】
2010175890.tif 000009
【図８】
2010175890.tif 000010
【図９】
2010175890.tif 000011
【図１０】
2010175890.tif 000012
【図１１】
2010175890.tif 000013
【図１２】
2010175890.tif 000014
【図１３】
2010175890.tif 000015
【図１４】
2010175890.tif 000016
【図１５】
2010175890.tif 000017
【図１６】
2010175890.tif 000018
【図１７】
2010175890.tif 000019
【図１８】
2010175890.tif 000020
【図１９】
2010175890.tif 000021
【図２０】
2010175890.tif 000022
【図２１】
2010175890.tif 000023
【図２２】
2010175890.tif 000024
【図２３】
2010175890.tif 000025
【図２４】
2010175890.tif 000026
【図２５】
2010175890.tif 000027
【図２６】
2010175890.tif 000028
【図２７】
2010175890.tif 000029
【図２８】
2010175890.tif 000030